(57)【要約】靴底の踵部分に取り付けて、歩行時外部の空気を内部に強制注入できるようにして靴内部を清潔にするとともにクッション機能を提供する通気性靴用空気ポンプアセンブリが開示されている。空気ポンプアセンブリが圧縮力により圧縮されると、折曲部は弾性リングに沿って滑らかに曲がり、圧縮力が開放されると折曲部が自然に元に戻る。したがって、反復的な収縮による折曲部の疲労度が減少し、アセンブリの破損が防止され、寿命が顕著に延びる。
2005526535.tif 000002
【特許請求の範囲】
【請求項１】
通気性靴用の空気ポンプアセンブリであって、
空気の流れを規制するチェック弁２２ａおよび２２ｂが両側に設置された基板１４と、
上部硬質板１６と、
前記基板１４と前記上部硬質板１６の間に配置された圧縮バネ１８と、
密閉されるように縁部が前記基板１４にホットメルト接着され、前記上部硬質板１６を覆う弾性カバー１２と、
前記基板１４と前記硬質板１６との間に配置された弾性リング２０と、を含み、
前記弾性カバーの中間部分が前記弾性リングの中心軸方向に引っ張られて凹型の折曲部１３が形成されることを特徴とする通気性靴用空気ポンプアセンブリ。
【請求項２】
請求項１記載の通気性靴用空気ポンプアセンブリにおいて、
前記弾性リング２０は前記弾性カバー１２の中間部の外縁と密着することを特徴とする通気性靴用空気ポンプアセンブリ。
【請求項３】
請求項１または２記載の通気性靴用空気ポンプアセンブリにおいて、
前記弾性リング２０はコイルバネ２０ａからなることを特徴とする通気性靴用空気ポンプアセンブリ。
【請求項４】
請求項１または２記載の通気性靴用空気ポンプアセンブリにおいて、
前記弾性リング２０は中空管２０ｂからなることを特徴とする通気性靴用空気ポンプアセンブリ。
【発明の詳細な説明】
【技術分野】
【０００１】
本発明は、通気性靴用空気ポンプアセンブリに係り、特に、靴底の踵部分に取り付けて、歩行時に外部の空気を靴内部に強制注入することによって、靴内部を清潔にし、歩行者にクッション機能を提供する通気性靴用空気ポンプアセンブリに関するものである。
【背景技術】
【０００２】
既存の靴は内部の空気が循環されにくく、足から発生する汗及び湿気を外部に排出できず、常に靴の内部がジメジメし、悪臭が発生するので、水虫の主原因となっていた。
これを防止するために、靴内部を喚起するさまざまな設計の通気性靴が提案されてきたが、その機能と効果には受け入れ難い短所があり、このような短所を解決するために、本出願人は“通気性靴用空気ポンプアセンブリ（air pump assembly for ventilative footwear）”と題する韓国実用新案出願第１９９７−０００１６７号を提案し、その技術内容は本明細書に詳細に開示されている。
【０００３】
従来の空気ポンプアセンブリ構造の場合、歩行者の体重が空気ポンプアセンブリに反復的に加えられることによって弾性カバーが収縮するが、このとき、弾性カバーの中間部が外側に延び、靴底の中空部の内表面の摩擦により中空部が損傷するおそれがある。また、圧縮及び復元が繰り返されることにより中空部の疲労度が増加し、反復的に折り曲げられる部分が破損してしまう。
【特許文献１】韓国実用新案出願第１９９７−０００１６７号
【発明の開示】
【発明が解決しようとする課題】
【０００４】
したがって、本発明の目的は、従来技術が抱える問題点を解決し、弾性カバーの中間部に弾性リングを設け、凹部を形成し、ポンピング時に、弾性カバーが内側に収縮し、それから回復してポンピング及び減衰効率を向上させる通気性靴用空気ポンプアセンブリを提供することである。
【課題を解決するための手段】
【０００５】
前述の目的を達成するために、本発明の１つの態様によれば、空気の流れを規制するチェック弁が両側に設置された基板と、上部硬質板と、基板と上部硬質板との間に配置された圧縮バネと、縁部が基板にホットメルト接着されて密閉した、上部硬質板を覆う弾性カバーと、基板と硬質板との間に配置された弾性リングとからなり、弾性カバーの中間部が弾性リングの中心軸方向へ引っ張られて凹形の折曲部を形成することを特徴とする通気性靴用空気ポンプアセンブリが提供される。
【発明を実施するための最良の形態】
【０００６】
以下、本発明の好ましい実施の形態の詳細な説明が、添付図面を参照してなされる。各図面の構成要素に参照符号を付与することにおいて、同一な構成要素については、他の図面上においてもできる限り同一な符号を有するようにした。また、公知要素の機能または構成に関する詳細な説明は、明確にするために省略する。
【０００７】
図１は、本発明の好ましい実施の形態に係る通気性靴用空気ポンプアセンブリを示した斜視図であり、図２は、図１のＡ−Ａ線に沿った断面図である。図１と図２とを参照すると、空気ポンプアセンブリは、空気の流れを規制するリアおよびフロント一対のチェック弁２２ａ、２２ｂが両側に設置された基板１４と、上部硬質板１６と、基板１４と上部硬質板１６の間に配置された円錐形の圧縮バネ１８と、上部硬質板１６を覆い、弾性力に優れた樹脂でできた弾性カバー１２とからなる。弾性カバー１２の縁部は基板１４とホットメルト接着され密閉されている。また、基板１４と硬質板１６の間には弾性リング２０を設け、弾性カバー１２の中間部が弾性リングの中心軸方向に引っ張られて凹型の折曲部１３が形成される。
【０００８】
リヤチェック弁２２ａは、靴の外部に通じる吸気管２４と接続し、フロントチェック弁２２ｂは、靴の内部に通じる供給管２６と接続する。弾性リング２０は、弾性カバー１２の中間部の外縁と密着し、中間部に一定の弾性力を加える。弾性リング２０は、優れた弾性力を有するゴムまたは合成樹脂製で、上から見た形が円形であることが好ましい。圧縮バネ１８は、硬質板１６と基板１４のそれぞれの内面から突き出た円形の固定部１９により固着される。この構造により、圧縮バネ１８が圧縮される時、騒音を顕著に減少させることができる。
【０００９】
図３（ａ）および（ｂ）は、本発明に係る弾性リングの別の実施の形態を示した斜視図である。上記の実施の形態に示された弾性リング２０は、図３（ａ）に示した弾性力に優れたコイルバネ２０ａか、コイルバネ２０ａと同じ材質からなる図３（ｂ）に示した中空管２０ｂであってもよい。本発明に係る通気性靴用空気ポンプアセンブリは、次のように機能する。
【００１０】
図４は、本発明に係る通気性靴用空気ポンプアセンブリの動作を示す断面図である。歩行者の歩行時に圧力が前記空気ポンプアセンブリ１０に加わると、図４のように、硬質板１６が下降して、圧縮バネ１８が圧縮される。弾性カバー１２が収縮し、空気ポンプアセンブリ１０内部の空気がチェック弁２２ｂおよび供給管２６を通じて靴内部に排出される。また、チェック弁２２ａ、２２ｂを設置することにより、空気の流れの方向を逆にし、靴内部の湿気及び空気を外部に排出することもできる。この時、弾性カバー１２の圧縮により、弾性リング２０が折曲部１３を内側に引っ張り、折曲部１３は弾性リング２０に沿って滑らかに曲がり、圧縮力が解放されると、圧縮バネ１８の復元力により硬質板１６が上昇し、弾性カバー１２が自然に復元され、吸気管２４及びチェック弁２２ａを通じて外部空気が空気ポンプアセンブリ１０の内部に充填される。弾性カバー１２が内側に収縮されればされるほど空気ポンプアセンブリからの内部空気の放出量が高まる。また、前述のように構成された空気ポンプアセンブリをエアシリンダのピストンを用いて、２０乃至８０Ｋｇ程度の作用力を反復的に作用させて実験した結果、従来のアセンブリは、約８万回程度で破損が発生したが、本発明ではその１００倍の８００万回まで寿命が延びた。
【産業上の利用可能性】
【００１１】
本発明は、空気ポンプアセンブリに圧縮力が作用して圧縮されると、折曲部が弾性リングに沿って滑らかに曲げられ、圧縮力が開放されると自然に復元される。反復的な収縮による折曲部の疲労度を減少させ、その寿命を顕著に延長することができ、破損を防止する効果がある。
【００１２】
また、本発明は、空気ポンプアセンブリが圧縮された時、弾性カバーが内側に圧縮されるので、内部空気の放出量が増加する。そして、弾性カバーが元に戻る時、外部空気を吸入する。したがって、空気の流量が最大化され、空気ポンプアセンブリから供給される外部の新鮮な空気が靴の内部に十分に供給されるので、足の悪臭及び水虫が予防され衛星的である。
また、本発明は前述のように、空気の吸入及び供給効率が増大するので、歩行者が歩行する時の衝撃力を減少させる緩衝効果が高くなり、歩行者の疲労度を減少させる効果がある。
【図面の簡単な説明】
【００１３】
【図１】本発明の望ましい実施の形態による通気性靴用空気ポンプアセンブリを示す斜視図である。
【図２】図１のＡ―Ａ線に沿った断面図である。
【図３】（ａ）および（ｂ）は、本発明による弾性リングの他の実施の形態を示す斜視図である。
【図４】本発明による通気性靴用空気ポンプアセンブリの動作を示す断面図である。
【図１】
2005526535.tif 000003
【図２】
2005526535.tif 000004
【図３】
2005526535.tif 000005
【図４】
2005526535.tif 000006
【国際調査報告】
2005526535.tif 000007